(57)【特許請求の範囲】
【請求項１】
操作者の指令により線状体を所定の速度で挿入または後退させる線状体の挿入駆動装置であって、
線状体を挟持する一対の駆動ローラと、
前記一対の駆動ローラを回転させる一つのモータと、
前記一対の駆動ローラのうちの第１駆動ローラに前記モータの回転を第１回転方向に伝達し、前記一対の駆動ローラのうちの第２駆動ローラに前記モータの回転を前記第１回転方向の逆転方向に伝達する伝達機構と、
前記モータによって回転される第１回転軸とを備え、
前記伝達機構は、前記第１回転軸の回転を前記第２駆動ローラに伝達する伝達部を含み、
前記第２駆動ローラおよび前記伝達部は、前記第１回転軸を中心として回動可能に構成され、
前記挿入駆動装置は、
前記第１駆動ローラの回転軸および前記モータを支持する筐体本体と、
前記第２駆動ローラの回転軸を支持する蓋とをさらに備え、
前記蓋は、前記第１回転軸の延長上にある軸を中心に回動可能に前記筐体本体に取り付けられている、線状体の挿入駆動装置。
【請求項２】
前記蓋に固定され、前記第２駆動ローラを支持する回転軸に前記線状体を押圧する付勢力を与える弾性部材をさらに備える、請求項１に記載の線状体の挿入駆動装置。
【請求項３】
前記伝達機構は、
前記モータの回転を前記第１駆動ローラに伝達するためのベルト、チェーン、歯車機構のいずれか１つを含む、請求項１に記載の線状体の挿入駆動装置。
【請求項４】
前記伝達機構は、
前記モータの回転を前記第１駆動ローラの回転に対して反転するように前記第２駆動ローラに伝達するためのベルト、チェーン、歯車機構のいずれか１つをさらに含む、請求項３に記載の線状体の挿入駆動装置。
【請求項５】
請求項１〜４のいずれか１項に記載の線状体の挿入駆動装置が組み込まれた医療機器。
【請求項６】
前記線状体の長手軸方向への作用力である挿入力および引抜力を計測する計測部と、
前記計測部によって計測された作用力を報知する報知部とをさらに備える、請求項５に記載の医療機器。
【請求項７】
請求項５または６に記載の医療機器が組み込まれた、人体を模擬する医療操作訓練装置。
【発明の詳細な説明】
【技術分野】
【０００１】
この発明は、線状体の挿入駆動装置に関し、より特定的には、体内に挿入されるガイドワイヤやカテーテル等の可撓性の線状体の挿入駆動装置およびそれが組み込まれた医療機器、医療操作訓練装置に関する。
【背景技術】
【０００２】
体内挿入式の医療器具として、血管や尿管等の管に挿入するガイドワイヤやカテーテル等の線状体が知られている。また、動脈瘤を塞栓するために、先端に塞栓用のコイルがついたワイヤが知られている。術者は、これらの細いワイヤ形状のものを人体の管に挿入し、人体外部から操作して目的部位まで誘導する。体内にある管は、直線ではなく、屈曲していたり、分岐していたりするので、外部からの誘導操作に熟練が必要である。特に操作の際にこれらのワイヤによって過度の荷重が人体の管に作用すると、管を損傷する恐れがある。
【０００３】
特開平１０−２６３０８９号公報（特許文献１）には、人体の管の損傷を防止する装置として、ガイドワイヤの先端に圧力センサをつけた障害物感知機能付きカテーテルが開示されている。また、特開２００８−０６４５０８号公報（特許文献２）には、損傷を防止する別の方式として、線状体の湾曲度合いを検出するセンサを用いた線状体の圧縮力計測装置が開示されている。また、圧縮力だけでなく、引張力も検出することができる計測装置が、再公表特許ＷＯ２０１１／０３３９８５号公報（特許文献３）に開示されている。
【０００４】
医療用線状体は、カテーテルを使用した治療に使用されている。このような治療に使用される医療器具の一例として、たとえば、くも膜下出血の原因である脳動脈瘤のコイル塞栓術治療に用いられる医療器具が挙げられる。コイル塞栓用の白金コイルは、デリバリーワイヤの先頭に接続される。デリバリーワイヤと子カテーテルは、Ｙコネクタに挿入される。カテーテルは中空であり、デリバリーワイヤは子カテーテルの中空部に挿入される。Ｙコネクタの入り口付近において、二人の術者それぞれがデリバリーワイヤと子カテーテルを操作する。
【０００５】
コイル塞栓術は、一般に次の手順で行われる。（１）大腿部の動脈に２本のカテーテル（親カテーテルと子カテーテル）とガイドワイヤを挿入する。親カテーテルの中に子カテーテルを入れ、ガイドワイヤは子カテーテルの中に挿入されており、子カテーテルの先端はガイドワイヤに誘導されて脳動脈瘤の中におかれる。（２）ガイドワイヤを子カテーテルから引き抜き、先端に白金コイル（以下、コイルという）のついたデリバリーワイヤをガイドワイヤに代って子カテーテルの中に挿入する。（３）コイルを脳動脈瘤内に留置した後、デリバリーワイヤに電極を接続し、人体に予め穿刺した針にも電極を接続して、その後、これら電極を介してデリバリーワイヤと人体の間に電流を流す。コイルとデリバリーワイヤは電気分解する材料で接続されているので、通電によってコイルとデリバリーワイヤは分離され、その結果、コイルが脳動脈瘤内に留置される。その後、（４）デリバリーワイヤを子カテーテルから引き抜き、別のコイルのついたデリバリーワイヤを子カテーテルの中に挿入する。（５）コイルが脳動脈瘤内に密に充填されるまで（３）から（４）を繰り返す。
【０００６】
カテーテル治療は熟練が必要であり、カテーテルやデリバリーワイヤの操作には微妙なコントロールが必要である。カテーテル治療におけるカテーテルならびにデリバリーワイヤの操作性を改善するため提案された装置として、特開２０００−４２１１６号公報（特許文献４）および特許３８７７９２１号公報（特許文献５）には、マスタースレーブ装置が提案されている。
【０００７】
しかしながら、マスタースレーブ装置を使用する場合には、手作業でデリバリーワイヤやカテーテルなどの線状体を操作する場合とは要求される操作が異なる。そのため、新たな訓練が必要となる。また、マスタースレーブ装置を用いた場合、患者の拍動や血管などにおける細かな変化を感じとることが難しい。したがって、手作業で線状体を操作する方が好ましい。
【０００８】
そこで、特許５４０３７８５号公報（特許文献６）に開示されている、医療用線状体を体内の管へ挿入する挿入装置であって、一人の術者が操作することができる挿入装置が提案された。
【先行技術文献】
【特許文献】
【０００９】
【特許文献１】特開平１０−２６３０８９号公報
【特許文献２】特開２００８−０６４５０８号公報
【特許文献３】再公表特許ＷＯ２０１１／０３３９８５号公報
【特許文献４】特開２０００−４２１１６号公報
【特許文献５】特許３８７７９２１号公報
【特許文献６】特許５４０３７８５号公報
【発明の概要】
【発明が解決しようとする課題】
【００１０】
特許５４０３７８５号公報（特許文献６）に記載された線状体の挿入駆動装置５０１について、図１３〜図１６を用いて説明する。図１３は、挿入駆動装置５０１の線状体に平行な断面を示す断面図である。図１４は、挿入駆動装置５０１の線状体に直交する断面を示す断面図である。図１５は、図１３のＸＶ−ＸＶ断面における断面図である。図１６は、挿入駆動装置５０１の蓋が開けられた状態を線状体に直交する方向から見た図である。
【００１１】
図１３〜図１６を参照して、デリバリーワイヤ１０４は、モータ５０３に取り付けた送り用のローラ５０５と、デリバリーワイヤ１０４に圧力を加える抑え用のローラ５０６によって挟まれ、ローラ５０５によって駆動される。ローラ５０６は固定部５０７によって回転可能に支持される。固定部５０７は、ローラ５０６は蓋５１０との間に弾性体５０８を介して支持されている。蓋５１０には開閉を操作するレバー５１２があり、レバー５１２の突起部５１３と駆動装置の筐体本体５０２の突起部５１４とが弾性体５０８の圧力で嵌合して蓋５１０を閉めることができる。操作者は、レバー５１２を弾性変形させて、この嵌合を解除し、蓋５１０を開けることができる。Ｙコネクタ３１は、デリバリーワイヤ１０４の駆動装置の筐体本体５０２と蓋５１０に取り付けたゴムなどの弾性体５１５によって挟み込まれ、ケースに取り付けられる。蝶番５１１で蓋５１０を開放できる形状になっており、蓋５１０を閉めることで、デリバリーワイヤ１０４とＹコネクタ３１を一体でセットすることができ、蓋５１０を開けることで、デリバリーワイヤ１０４とＹコネクタ３１を一体のまま取り外すことができる。
【００１２】
挿入駆動装置５０１は、カテーテルとデリバリーワイヤ１０４の操作を一人の術者で実現できる安価な駆動装置であるが、デリバリーワイヤ１０４を駆動するローラ５０５が１つだけでは、所定の挿入力が得られないことがある。デリバリーワイヤ１０４を駆動するローラ５０５の回転は減速機５０９を介したモータ５０３によって行なわれる。デリバリーワイヤ１０４の駆動速度は数ｍｍ／ｓであるため、ローラ５０５の回転速度は大変遅い。例えば、デリバリーワイヤ１０４の駆動速度を１ｍｍ／ｓ、ローラ５０５の半径を１０ｍｍとすれば、ローラ５０５の回転数は１ｒｐｍ程度である。そのため、比較的大きな減速比でモータ５０３を回転させることになり、モータ５０３から見た駆動力としては、デリバリーワイヤ１０４の挿入力は無視できるほど小さい。
【００１３】
したがって、所定の挿入力が得られない理由は、モータ５０３のトルク不足ではなく、ローラ５０５とデリバリーワイヤ１０４間に働く摩擦力が所定の挿入力よりも小さくなってしまっているからである。よって、所定の挿入力を得るためには、ローラ５０５とデリバリーワイヤ１０４間の摩擦力を上げる必要がある。
【００１４】
２物体間の摩擦力を上げる要因としては、摩擦係数の高い材料・面性状にすることと、接触面の垂直抗力を上げることが挙げられる。摩擦係数は材料と面性状によって決まってしまい、医療用材料の中で選定することを考慮すると粘着性のあるものが使用できないため、あまり高くすることができない。また、接触面の垂直抗力については、あまり大きくしすぎてしまうとデリバリーワイヤ１０４やローラ５０５表面の摩耗・損傷が発生してしまう。
【００１５】
他には、デリバリーワイヤ１０４を挟持する２つのローラ５０５，５０６それぞれにモータを取り付けることで、駆動ローラを２つとし、挿入力を上げる方法がある。しかし、蓋５１０側のローラ５０６を駆動するモータに電流を流すための配線が蓋５１０の開閉時に少なからず動くため、煩わしく、蓋側のモータは、蓋５１０に取り付けた弾性体５０８とローラ５０６とを介して蓋５１０に支持されることとなり、蓋５１０にしっかりと固定されていないために蓋開閉時にローラ支持部を破損させてしまう可能性がある。また、図１４、図１５に示すようにローラ５０５の回転軸とモータ５０３の出力軸が同軸であり、蓋側にも同様にモータを取り付けるとすると、モータの配置位置の設計自由度が低い。
【００１６】
この発明の目的は、モータを１つで実現するため設計自由度が高く、かつ線状体の挿入駆動力が向上した線状体の挿入駆動装置およびそれを備える医療機器、医療操作訓練装置を提供することである。
【課題を解決するための手段】
【００１７】
この発明は、要約すると、線状体の挿入駆動装置であって、線状体を挟持する一対の駆動ローラと、一対の駆動ローラを回転させる一つのモータと、一対の駆動ローラのうちの第１駆動ローラにモータの回転を第１回転方向に伝達し、一対の駆動ローラのうちの第２駆動ローラにモータの回転を第１回転方向の逆転方向に伝達する伝達機構とを備える。
【００１８】
好ましくは、第２駆動ローラは、モータによって回転される第１回転軸の回転に従動して回転する。伝達機構は、第１回転軸の回転を第２駆動ローラに伝達する伝達部を含む。第２駆動ローラおよび伝達部は、第１回転軸を中心として回動可能に構成される。
【００１９】
より好ましくは、線状体の挿入駆動装置は、第１駆動ローラの回転軸およびモータを支持する筐体本体と、第２駆動ローラの回転軸を支持する蓋とをさらに備える。蓋は、第１回転軸の延長上にある軸を中心に回動可能に筐体本体に取り付けられている。
【００２０】
さらに好ましくは、線状体の挿入駆動装置は、蓋に固定され、第２駆動ローラを支持する回転軸に線状体を押圧する付勢力を与える弾性部材をさらに備える。
【００２１】
好ましくは、伝達機構は、モータの回転を第１駆動ローラに伝達するためのベルト、チェーン、歯車機構のいずれか１つを含む。
【００２２】
より好ましくは、伝達機構は、モータの回転を第１駆動ローラの回転に対して反転するように第２駆動ローラに伝達するためのベルト、チェーン、歯車機構のいずれか１つをさらに含む。
【００２３】
この発明は、他の局面では、上記いずれかの線状体の挿入駆動装置が組み込まれた医療機器である。
【００２４】
好ましくは、上記の医療機器は、線状体の長手軸方向への作用力である挿入力および引抜力を計測する計測部と、計測部によって計測された作用力を報知する報知部とをさらに備える。
【００２５】
この発明は、さらに他の局面では、上記医療機器が組み込まれた、人体を模擬する医療操作訓練装置である。
【発明の効果】
【００２６】
本発明では、デリバリーワイヤを挟持する２つのローラそれぞれに対して、伝達機構を介して、１つのモータで回転力を与えて駆動ローラを２つとする。これにより、駆動ローラの材質と垂直抗力は従来のままで、駆動ローラが１つの場合と比較してデリバリーワイヤを挿入する駆動力を大きくすることができる。好ましくは、一方のローラが支持される駆動部本体と他方のローラが支持される蓋とを接続する蝶番の軸をモータ出力軸と一致させる。これにより、モータ出力軸の位置の設計自由度が上がり、容易に蓋を開けることができ、２つの駆動ローラとモータの軸の距離が常に一定となり、蓋を閉める際にも伝達機構部の位置決めを省略できるため、組立が容易となり組立時間が短縮できる。
【図面の簡単な説明】
【００２７】
【図１】本発明の実施の形態に係る挿入駆動装置１が適用された医療機器である挿入装置１００の概略構成を示した図である。
【図２】挿入装置１００の詳細構成を示した図である。
【図３】挿入駆動装置１のモータから駆動ローラへの動力伝達機構の構成を概略的に示した斜視図である。
【図４】挿入駆動装置１の上面図である。
【図５】図４のＶ−Ｖ断面における断面図である。
【図６】図５のＶＩ−ＶＩ断面における断面図である。
【図７】図６の断面図において蓋が開いた状態を示した図である。
【図８】モータの配置を変えた第１の変形例を説明するための図である。
【図９】モータの配置を変えた第２の変形例を説明するための図である。
【図１０】チェーンを使用した伝達機構５０Ａを示した概略図である。
【図１１】歯車のみを使用した伝達機構５０Ｂを示した概略図である。
【図１２】訓練用シミュレータに挿入装置を組み込んだ訓練装置の例を示した図である。
【図１３】挿入駆動装置５０１の線状体に平行な断面を示す断面図である。
【図１４】挿入駆動装置５０１の線状体に直交する断面を示す断面図である。
【図１５】図１３のＸＶ−ＸＶ断面における断面図である。
【図１６】挿入駆動装置５０１の蓋が開けられた状態を線状体に直交する方向から見た図である。
【発明を実施するための形態】
【００２８】
以下、図面に基づいてこの発明の実施の形態を説明する。なお、以下の図面において、同一または相当する部分には同一の参照番号を付し、その説明は繰返さない。
【００２９】
カテーテルを使用した治療などの、低侵襲の外科手術の一例として、コイル塞栓術治療が挙げられる。コイル塞栓術治療とは、脳動脈瘤内にコイルを留置して塞栓させ、くも膜下出血の原因である脳動脈瘤の破裂を防止する治療である。
【００３０】
図１、図２を参照して、コイル塞栓術治療に用いられるデリバリーワイヤ１０４を体内の血管１３２へ挿入する挿入装置１００について説明する。
【００３１】
図１は、本発明の実施の形態に係る挿入駆動装置１が適用された医療機器である挿入装置１００の概略構成を示した図である。図２は、挿入装置１００の詳細構成を示した図である。
【００３２】
図１、図２を参照して、挿入装置１００は、挿入駆動装置１と、Ｙコネクタ３１，１１１と、センサ制御装置９０と、スピーカ９２と、表示器９３と、挿入駆動装置１を制御するための制御回路４０、フットスイッチ４１、４６および速度制御部４３、４８とを含む。
【００３３】
本実施の形態における医療用線状体であるデリバリーワイヤ１０４は、Ｙコネクタ３１に挿入されている。デリバリーワイヤ１０４の先頭には、脳動脈瘤１３３をコイル塞栓させるための、白金製のコイル１０１が接続されている。デリバリーワイヤ１０４は、第一の入力ポート３２からＹコネクタ３１に挿入され、Ｙコネクタ３１を貫通して、出力ポート３４に接続された子カテーテル１０２の中へ挿入されている。
【００３４】
挿入装置１００において、脳動脈瘤１３３をコイル塞栓させるための白金製のコイル１０１は、デリバリーワイヤ１０４の先頭に接続されている。デリバリーワイヤ１０４が内部に挿通されるカテーテルは、親カテーテル１０３を外管とし、子カテーテル１０２を内管とする、二重管カテーテルである。子カテーテル１０２は中空であり、デリバリーワイヤ１０４は子カテーテル１０２の中空部に挿入される。デリバリーワイヤ１０４はＹコネクタ３１に挿入され、子カテーテル１０２はＹコネクタ１１１に挿入されている。
【００３５】
Ｙコネクタ１１１およびＹコネクタ３１の各々には３つの接続ポートがある。１つはカテーテルの接続ポート、他の１つはカテーテルやデリバリーワイヤなどの線状体を挿入するポート、他の１つは生理食塩水や薬剤の入力ポート１１２、入力ポート３３である。
【００３６】
親カテーテル１０３は、人体１３１の血管１３２内に挿入されており、先端が頸動脈の近傍部まで達している。子カテーテル１０２は、親カテーテル１０３の内部に挿入されており、親カテーテル１０３の先端から脳動脈瘤１３３の内部へ進められる。脳動脈瘤１３３の内部に到達した子カテーテル１０２からコイル１０１が押し出され、細くやわらかいコイル１０１が脳動脈瘤１３３に詰められる。これにより、脳動脈瘤１３３の破裂を防止する。
【００３７】
挿入装置１００は、デリバリーワイヤ１０４を長手軸方向へ移動させる挿入駆動装置１を備える。挿入駆動装置１は、２つの駆動ローラ５，６を備える。デリバリーワイヤ１０４は、駆動ローラ５の回転面と駆動ローラ６の回転面とによって挟持されるとともに、駆動ローラ５，６の回転を受けて長手軸方向に移動する。挿入駆動装置１によるデリバリーワイヤ１０４の長手軸方向の移動は、制御回路４０によって制御される。
【００３８】
フットスイッチ４１、４６は、配線４２，４７によってそれぞれ制御回路４０に接続され、速度制御部４３、４８は、配線４４，４９によってそれぞれ制御回路４０に接続される。
【００３９】
挿入速度制御部４３および引抜速度制御部４８の各々には、挿入駆動装置１がデリバリーワイヤ１０４を移動させる移動速度を調整可能なボリュームスイッチが取り付けられている。
【００４０】
挿入速度制御部４３および引抜速度制御部４８に設けられたボリュームスイッチの操作により、デリバリーワイヤ１０４の挿入速度または引抜速度を増減させることができる。コイル塞栓術治療を一人で行なっている術者は、子カテーテル１０２をＹコネクタ１１１の内部へ入れるとき左手でＹコネクタ１１１を把持している。この術者がデリバリーワイヤ１０４の挿入速度または引抜速度を増減させたいときは、右手で速度制御部（すなわち挿入速度制御部４３または引抜速度制御部４８）のボリュームスイッチを操作する。これにより、デリバリーワイヤ１０４の長手軸方向への移動速度を制御することができる。
【００４１】
Ｙコネクタ３１の内部には、挿入力センサ６０が組み込まれている。挿入力センサ６０は、デリバリーワイヤ１０４に作用する長手軸方向の圧縮力（すなわち、デリバリーワイヤ１０４の挿入力）および引抜力をデリバリーワイヤ１０４の湾曲度合いを検出することによって計測する。デリバリーワイヤ１０４に作用している圧縮力の測定は、体内に導入される線状体により過大な圧縮力（挿入力）を加えて人体を損傷させないようにするために、必要である。表示器９３は、挿入力センサ６０によって計測された作用力を術者に報知する。
【００４２】
図３は、挿入駆動装置１のモータから駆動ローラへの動力伝達機構の構成を模式的に示した斜視図である。
【００４３】
図３を参照して、デリバリーワイヤ１０４は駆動ローラ５および駆動ローラ６の２つの駆動ローラで挟持されている。挿入駆動装置１は、一対の駆動ローラ５，６と、一対の駆動ローラ５，６を回転させる一つのモータ３と、一対の駆動ローラ５，６のうちの一方の駆動ローラにモータの回転を第１回転方向に伝達し、一対の駆動ローラ５，６のうちの他方の駆動ローラにモータ３の回転を第１回転方向の逆転方向に伝達する伝達機構５０とを備える。
【００４４】
伝達機構５０は、モータ３の回転を、２つのローラ５，６に伝達するので、デリバリーワイヤ１０４は、送り用ローラと抑え用ローラでデリバリーワイヤを駆動する従来の方式と比べて、ワイヤの駆動力を大きくすることができる。
【００４５】
モータ３の回転は、減速機９を介して回転軸４に伝達される。駆動ローラ５，６は、モータ３によって回転される回転軸４の回転に従動して回転する。伝達機構５０は、伝達部５１〜５３を含む。伝達部５２は、回転軸４の回転を駆動ローラ６に伝達する。
【００４６】
この２つの駆動ローラ５，６は互いに軸が平行となるように配置され、同様に軸が平行となるように配置された伝達部５１〜５３を介してモータ３に接続されている。伝達部５１は、ベルト５１Ａと、駆動側のプーリ５１Ｂと従動側のプーリ５１Ｃとを含む。伝達部５１は、モータ３の回転を伝達部５３に伝達する。伝達部５２は、ベルト５２Ａと、駆動側のプーリ５２Ｂと従動側のプーリ５２Ｃとを含む。伝達部５２は、モータ３の回転を駆動ローラ６に伝達する。
【００４７】
デリバリーワイヤ１０４を一方向へ駆動させるためには、駆動ローラ５と駆動ローラ６は互いに逆回転しなければならない。このため、伝達部５１と駆動ローラ５の間には、伝達部５３が配置される。伝達部５３は、歯車５３Ａと歯車５３Ｂとを含む。伝達機構５０は、この構成により、１つのモータ３の回転力を２つの駆動ローラ５，６に付与することができる。したがって、図１３〜図１６に示した１つのローラでデリバリーワイヤを駆動させる場合と比べて、挿入駆動装置１は駆動力を大きくすることができる。
【００４８】
駆動ローラ６および伝達部５２は、共通する軸５８を中心として回動可能に構成される。後に説明するように駆動ローラ６および伝達部５２は挿入駆動装置１の蓋に取り付けられている。
【００４９】
次に、挿入駆動装置１の詳細について図４〜図７を用いて説明する。図４は、挿入駆動装置１の上面図である。図５は、図４のＶ−Ｖ断面における断面図である。図６は、図５のＶＩ−ＶＩ断面における断面図である。図７は、図６の断面図において蓋が開いた状態を示した図である。
【００５０】
図４〜図６を参照して、挿入駆動装置１は、駆動ローラ５，６と伝達機構５０（伝達部５１〜５３）とモータ３とに加えて、さらに、筐体本体２と、蓋１０とを含む。筐体本体２は、駆動ローラ５の回転軸およびモータ３を支持する。蓋１０に設けられた固定部７は、駆動ローラ６の回転軸を支持する。固定部７は蓋１０に弾性体８を介して支持されている。蓋１０は、モータ３の回転軸の延長上にある軸５８を中心に回動可能に筐体本体２に取り付けられている。
【００５１】
蓋１０を閉めることでデリバリーワイヤ１０４は駆動ローラ５と駆動ローラ６に挟まれる。弾性体８により既定の力で駆動ローラ６がデリバリーワイヤ１０４と駆動ローラ５に押し付けられる。すなわち、弾性体８は、蓋１０に固定され、駆動ローラ６を支持する回転軸にデリバリーワイヤ１０４を押圧する付勢力を与える。
【００５２】
その結果、駆動ローラ６とデリバリーワイヤ１０４間およびデリバリーワイヤ１０４と駆動ローラ５間に垂直抗力が発生し、モータ３が回転することで各ローラとワイヤ間の摩擦力によりデリバリーワイヤ１０４を駆動する。
【００５３】
筐体本体２には開閉を操作するレバー１２が設けられている。レバー１２と蓋１０に設けられた嵌合部の突起１３，１４が弾性体８の圧力で嵌合して蓋１０を閉めることができる。レバー１２を弾性変形させて、この嵌合を解除すると、蓋１０を開けることができる。Ｙコネクタ３１は、筐体本体２と蓋１０に取り付けたゴムなどの弾性体１５によって挟み込まれ、挿入駆動装置１に取り付けられる。なお、レバー１２を蓋１０に設けるようにしても良い。
【００５４】
挿入駆動装置１は、蝶番１１で蓋１０を開放できる構成となっている。術者は、蓋１０を閉めることで、デリバリーワイヤ１０４とＹコネクタ３１を一体でセットすることができ、蓋１０を開けることで、デリバリーワイヤ１０４とＹコネクタ３１を一体のまま取り外すことができる。
【００５５】
蝶番１１の軸と、モータ３の出力軸とを一致させることにより、蓋１０を開閉しても２つの駆動ローラ５，６とモータ３の軸との相対距離が一定となる。このため、蓋１０の開閉時の伝達部の配置修正機構を省略できるので、簡単な構成で蓋１０の開閉ができる。デリバリーワイヤ１０４とＹコネクタ３１を一体で取り外し／設置ができるので、蝶番１１の軸とモータ３の出力軸を一致させない場合と比較して、組立が容易で組立時間が短縮できる。
【００５６】
なお、必ずしもモータ３の軸と蝶番１１の軸とを一致させないでも同様な効果を得ることは可能である。図８は、モータの配置を変えた第１の変形例を説明するための図である。図９は、モータの配置を変えた第２の変形例を説明するための図である。
【００５７】
図８に示した変形例では、モータ３の軸を伝達部５１のプーリ５１Ｃに取り付けている。図９に示した変形例では、モータ３の軸を伝達部５３の歯車５３Ａに取り付けている。これらのように変形しても、軸５８を蝶番１１の軸と一致させていれば、同様の効果が得られる。
【００５８】
なお、図３〜図７に示した構成では、軸の回転方向を逆転させる伝達部５３は、歯車機構としているが、たすきがけ（交差がけ）にしたベルトやチェーンなどによって代替してもよい。また、伝達部５１および５２についても、ベルトの代わりにチェーンを用いてもよい。
【００５９】
すなわち、伝達機構５０は、モータ３の回転を駆動ローラ５に伝達するためのベルト、チェーン、歯車機構のいずれか１つを含んで構成されればよい。また、伝達機構５０は、モータ３の回転を駆動ローラ５の回転と反転するように駆動ローラ６に伝達するためのベルト、チェーン、歯車機構のいずれか１つをさらに含んで構成されればよい。
【００６０】
図１０は、チェーンを使用した伝達機構５０Ａの例を示した概略図である。図１０に示した伝達機構５０Ａは、チェーン５１Ｄと、鎖車（スプロケット）５１Ｅ，５１Ｆと、チェーン５２Ｄと、鎖車５２Ｅ，５２Ｆとを含む。このような構成でも、蝶番１１の軸を鎖車５１Ｅおよび鎖車５２Ｅの軸に一致させることによって同様な効果が得られる。
【００６１】
図１１は、歯車のみを使用した伝達機構５０Ｂの例を示した概略図である。図１１に示した伝達機構５０Ｂは、歯車５３Ａ〜５３Ｆを含む。このような構成でも、蝶番１１の軸を歯車５３Ｄの軸に一致させることによって同様な効果が得られる。
【００６２】
なお、モータ３は、図１０、図１１のいずれの場合でも、図３、図８、図９で説明した位置のいずれに配置しても良い。
【００６３】
なお、本実施の形態に示した挿入装置１００は、人体を模擬する訓練用シミュレータに組み込むことができる。図１２は、訓練用シミュレータに挿入装置を組み込んだ訓練装置の例を示した図である。
【００６４】
図１２を参照して、訓練装置２００は、挿入駆動装置１と、ガイドワイヤ（線状体）１０４と、カテーテル１０３と、シミュレータ２３１と、ケーブル２２８と、操作装置９４と、スピーカ９２と、表示器９３とを含む。
【００６５】
カテーテル１０３は、挿入駆動装置１に接続され、挿入駆動装置１を通過したデリバリーワイヤ１０４が挿入される。挿入駆動装置１は、図３〜図１１で説明したいずれかのものを使用することができる。
【００６６】
デリバリーワイヤ１０４を把持する術者がデリバリーワイヤ１０４をシミュレータ２３１の内部へ進めたり、シミュレータ２３１から引き抜いたりするために挿入駆動装置１を操作装置９４によって駆動して、デリバリーワイヤ１０４に圧縮力または引張力をかけると、その圧縮力または引張力が「報知部」である表示器９３によって表示される。
【００６７】
シミュレータ２３１は、人体を模擬するものであり、人体の管の透視画像と同等のものを表示する。医療装置の訓練を行なっている術者はシミュレータ２３１の表示画像を見ながらデリバリーワイヤ１０４を操作装置９４によって操作する。シミュレータ２３１は、挿入されたデリバリーワイヤ１０４に対する挿入抵抗および引抜抵抗を変化させる。操作時の抵抗力すなわち計測されるデリバリーワイヤ１０４に作用する圧縮力および引張力は、表示器９３に表示されるとともに、ケーブル２２８を介してシミュレータ２３１にも伝達される。シミュレータ２３１は、伝達された圧縮力および引張力に基づいてデリバリーワイヤ１０４の挿入抵抗および引抜抵抗を変更する。また、デリバリーワイヤ１０４に作用する圧縮力および引張力が所定のしきい値を超える場合に、警告音がスピーカ９２から出力される。
【００６８】
以上のような構成により、熟練術者の操作を定量化することができ、経験の少ない術者の手技を早期に向上させることができる。また、手術中の記録として、透視画像とともに、術者の操作を記録することができる。
【００６９】
今回提案する方法を用いれば、デリバリーワイヤ挿入力を増加させることができる。また、モータを１つしか使用しないので設計自由度が上がり、蓋の開閉および、デリバリーワイヤとＹコネクタを一体で取り外し／設置が容易にできる。
【００７０】
今回開示された実施の形態は、すべての点で例示であって制限的なものではないと考えられるべきである。本発明の範囲は、上記した実施の形態の説明でなくて特許請求の範囲によって示され、特許請求の範囲と均等の意味および範囲内でのすべての変更が含まれることが意図される。
【符号の説明】
【００７１】
１，５０１  挿入駆動装置、２，５０２  筐体本体、３，５０３  モータ、４  回転軸、５，６  駆動ローラ、７，５０７  固定部、８，１５，５０８，５１５  弾性体、１０，５１０  蓋、１１，５１１  蝶番、１２，５１２  レバー、１３，１４  突起、３１，１１１  コネクタ、３２，３３，１１２  入力ポート、３４  出力ポート、４０  制御回路、４１  挿入用フットスイッチ、４２，４７  配線、４６  引抜用フットスイッチ、５０，５０Ａ，５０Ｂ  伝達機構、５１，５２，５３  伝達部、５１Ａ，５２Ａ  ベルト、５１Ｂ，５１Ｃ，５２Ｂ，５２Ｃ  プーリ、５１Ｄ，５２Ｄ  チェーン、５１Ｅ，５２Ｅ，５２Ｆ  鎖車、５３Ａ，５３Ｂ，５３Ｄ，５３Ｆ  歯車、５８  軸、６０  挿入力センサ、９２  スピーカ、９３  表示器、９４  操作装置、１００  挿入装置、１０１  コイル、１０２  子カテーテル、１０３  親カテーテル、１０４  デリバリーワイヤ、１３１  人体、１３２  血管、１３３  脳動脈瘤、２００  訓練装置、２２８  ケーブル、２３１  シミュレータ、５０５，５０６  ローラ、９，５０９  減速機、５１３，５１４  突起部。
【図１】
0006751872.tif 000002
【図２】
0006751872.tif 000003
【図３】
0006751872.tif 000004
【図４】
0006751872.tif 000005
【図５】
0006751872.tif 000006
【図６】
0006751872.tif 000007
【図７】
0006751872.tif 000008
【図８】
0006751872.tif 000009
【図９】
0006751872.tif 000010
【図１０】
0006751872.tif 000011
【図１１】
0006751872.tif 000012
【図１２】
0006751872.tif 000013
【図１３】
0006751872.tif 000014
【図１４】
0006751872.tif 000015
【図１５】
0006751872.tif 000016
【図１６】
0006751872.tif 000017